(57)【要約】      （修正有）【課題】暗所においても交換が容易できる吸収部品の提供。【解決手段】吸収物品の一部分に暗所で照光性、発光性または、反射性がある機構を保持し、着用者を識別、位置付け、着用者の物品を交換するのを支援し、並びに明るさの少ない環境で交換するべき新しいおむつを探すのを助ける。【選択図】図１
2011251133.tif 000002
【特許請求の範囲】
【請求項１】
吸収性物品であって、
トップシート；
外側表面を有するバックシート；
該トップシートと該バックシートとの間に介在する吸収性コア；
該吸収性物品の少なくとも一部に配置される少なくとも一つの照光物質；
を含む吸収性物品。
【請求項２】
前記照光物質が燐光性である請求項１に記載の吸収性物品。
【請求項３】
前記照光物質が蛍光性である請求項１に記載の吸収性物品。
【請求項４】
前記照光物質が反射性である請求項１に記載の吸収性物品。
【請求項５】
対照的な照光特性を有する少なくとも２つの照光物質を包含する請求項１に記載の吸収性物品。
【請求項６】
前記照光物質が、燐光体、長残光性燐光体、反射体及び発光体からなる群から選択される、請求項１に記載の吸収性物品。
【請求項７】
前記照光物質が、多結晶性無機硫化亜鉛及びアルカリ土類硫化物からなる群から選択される、請求項１に記載の吸収性物品。
【請求項８】
使い捨ておむつであって、
トップシート；
外側表面を有するバックシート；
該トップシートと該バックシートの間に介在する吸収性コア；
該おむつの少なくとも一部に配置される少なくとも一つの照光物質；
を含む使い捨ておむつ。
【請求項９】
照光物質から成る表示を前記バックシートが包含する、請求項１６に記載の使い捨ておむつ。
【請求項１０】
締結装置を更に含み該締結装置が少なくとも一つの照光物質を含む、請求項１６に記載の使い捨ておむつ。
【発明の詳細な説明】
【発明の詳細な説明】
【０００１】
（関連出願との相互参照）
本出願は、２０００年９月１１日に出願した米国特許仮出願番号第６０／２３１，６０３号の特典を請求する。
【０００２】
（発明の分野）
本発明は、暗所で光る表示機構を有する吸収性物品に関するものである。
【０００３】
（発明の背景）
おむつなどのパーソナルケア製品用の吸収性物品は、広く使用されている消費者製品である。おむつ及び他の吸収性物品の主要な機能は、身体排泄物が衣類または他の物品、例えば寝具を汚したり、濡らしたり、さもなければ汚染したりするのを防止することである。かかる製品に対する需要が大きいことが刺激となって、製造者は改良した製品を提供し続けている。過去において、おむつなどの吸収性物品の快適性及び性能を向上するために努力がなされてきた。消費者の吸収性物品の使用及び消費者へ視覚的な魅力を改善するための努力もまたなされてきた。
【０００４】
吸収性物品はしばしば、介護人がこの物品を着用者に装着するのを支援したり、あるいは美的にも満足のいく外観を提供したりする機構を取り入れる。更に、吸収性物品、特におむつは、着用者への侵害を最低限にするために、介護人が、明かりの少ないまたは薄暗い環境で交換することが多い。従って、着用者が魅力を感じる機構を組み入れる製品を提供することが望ましい。場合によっては、照光物質は、特に明かりの少ない環境で、この物品を着用者に装着するかまたは着用者から取り外す者にとって有用な機能を提供する可能性がある。
【０００５】
本発明の１つの望ましい利点は、特に暗所で光る可視表面を包含し、有用な照光特性を有する吸収性物品を提供することである。この表面は、完全に照光性、部分的に照光性、あるいは照光性のデザインまたは表示を含有してもよい。本出願人の発明の更に別の望ましい特徴は、小さな子供を楽しませる照光性のデザインを提供することである。別の望ましい特徴は、明かりの少ない環境で介護を行う介護人を支援することである。本出願人発明の別の望ましい特徴は、容易かつ効果的に製造、販売できる照光性吸収性物品を提供することである。本発明の更に望ましい特徴は、丈夫で信頼性の高い構造を有する費用効率の高い新規の照光性吸収性物品を提供することである。
【０００６】
（発明の概要）
本発明は、トップシート、バックシート、及びトップシートと少なくとも１つの照光物質とを包含するバックシートとの間に介在する吸収性コア、を具備するおむつなどの吸収性物品を提供するものである。使用する照光物質は、本明細書で開示するように、燐光性、蛍光性、反射性または他の照光性のタイプであってもよい。照光物質は、物品の外観を向上させ、及び／または着用者による物品の着脱を支援できる可能性がある。
【０００７】
（詳細な説明）
本発明は、装飾的及び／または機能的特質を呈する暗所で光る機構を包含する新規な吸収性物品を提供することを意図するものである。本明細書で述べる暗所で光る機構は、トレーニングパンツ、成人用失禁製品または好ましい実施態様であるおむつなどの吸収性物品にも同様に適用することができる。
【０００８】
本明細書で使用する用語「吸収性物品」は、身体排泄物を吸収して封じ込める装置を指し、さらに具体的には、着用者の身体に押し付けるかまたは近接して配置し、身体から排出される種々の排泄物を吸収して封じ込める装置を指す。「使い捨て」という用語は、本明細書では、一般的に、洗濯することを意図しないか、あるいは別な方法では吸収性物品として修復または再使用することを意図しない吸収性物品を説明するのに使われる（つまり、１回の使用後に廃棄することを企図し、好ましくはリサイクルするか、堆肥化するか、別な方法では環境に適したやり方で廃棄することを意図する）。「一体型」吸収性物品とは、個別の部品を合体して調和した統一体を形成し、その結果、個別のホルダー及び／またはライナーのような独立した操作部分を必要としない吸収性物品を指す。本発明の吸収性物品の好ましい実施態様は、図１に示す一体型使い捨て吸収性物品としてのおむつ２０である。本明細書で使用する用語「おむつ」は、一般に幼児及び失禁者が胴体下部の周りに着用する吸収性物品を指す。また、本発明は、失禁用ブリーフ、失禁用下着、吸収性挿入部材、おむつホルダーとライナー、女性用衛生衣類、拭き取り用品、モップ、包帯、及びそのような他の吸収性物品にも適用できる。
【０００９】
図１は、本発明のおむつ２０の引き伸ばした状態の平面図であり、おむつ２０の構造をより明確に示すために表面を一部切り取っている。おむつ２０の着用者に面する部分を、こちら側に向けている。図１に示すように、おむつ２０は、液体透過性トップシート２４、液体不透過性バックシート２６、好ましくはトップシート２４とバックシート２６との間の少なくとも一部分に配置される吸収性コア２８、サイドパネル３０、弾性脚部カフ３２、弾性腰部機構３４、及び全般的に４０で示される締結装置、を有することが好ましい。おむつ２０は、図１に示すように、第一腰部領域３６、第一腰部領域３６と向かい合う第二腰部領域３８、及び第一腰部領域３６と第二腰部領域３８との間に位置する股領域３７、を有する。おむつ２０の周辺部は、おむつ２０の外縁部により画定するが、このとき、長手方向縁部５０は一般的におむつ２０の長手方向中心線１００に平行して走っており、末端縁部５２は一般的におむつ２０の横方向中心線１１０に平行して長手方向縁部５０の間を走っている。
【００１０】
おむつ２０のシャーシ２２は、おむつ２０の本体を含む。シャーシ２２は、吸収性コア２８の少なくとも一部分と、好ましくは、トップシート２４及び／またはバックシート２６を含む外部カバー層とを含む。吸収性物品が別個のホルダーとライナーを含む場合、シャーシ２２は、該ホルダーと該ライナーを概ね含む。（例えば、ホルダーは、物品の外部カバーを形成する１つ以上の材料層を含んでもよく、ライナーは、トップシート、バックシート、及び吸収性コアを含む吸収性組立体を含んでもよい。そのような場合、ホルダー及び／またはライナーは、使用期間中ライナーを所定位置に保持するために使用する締結要素を含んでよい。）一体吸収性物品の場合、シャーシ２２は、おむつの主要構造と共に、おむつ複合構造を形成するために付加された他の機構を含む。トップシート２４、バックシート２６、吸収性コア２６は、様々な周知の形体に組み立てることができるが、好ましいおむつの形体がほぼ記載された特許としては、１９７５年１月１４日にブエル（Kenneth B.Buell）へ発行された「使い捨ておむつの収縮可能な側部分（Contractible Side Portions for Diposable Diaper）」という名称の米国特許第３，８６０，００３号、１９９２年９月９日にブエル（Buell）へ発行された米国特許第５，１５１，０９２号、１９９３年６月２２日にブエル（Buell）へ発行された米国特許第５，２２１，２７４号、１９９６年９月１０日にロー（Roe）らへ発行された「多ゾーン構造の弾性様フィルムウェブの延伸性腰部機構を有する吸収性物品（Absorbent Article With Multiple Zone Structural Elastic-Like Film Web Extensible Waist Feature）」という名称の米国特許第５，５５４，１４５号、１９９６年１０月２９日にブエル（Buell）らへ発行された「使い捨てプルオンパンツ（Disposable Pull-On Pant）」という名称の米国特許第５，５６９，２３４号、１９９６年１２月３日にニース（Nease）らへ発行された「吸収性物品用サイドパネルを製造するゼロスクラップ方法（Zero Scrap Method For Manufacturing Side Panels For Absorbent Articles）」という名称の米国特許第５，５８０，４１１号、及び１９９９年１２月２１日にローブル（Robles）らへ発行された「多方向延伸性サイドパネルを有する吸収性物品（Absorbent Article With Multi-Directional Extensible Side Panels）」という名称の米国特許第６，００４，３０６号があり、それぞれの特許を本願に参考として組み入れる。
【００１１】
バックシート２６は、一般的に、ベッドシーツや下着などおむつ２０と接触する可能性がある物品を、吸収性コア２８に吸収されて封じ込まれた排泄物が汚すのを防止すべく、吸収性コア２８の衣類に面する表面４５に隣接して配置されるおむつ２０の部分である。好ましい実施態様では、バックシート２６は、液体（例えば尿）不透過性であり、厚さ約０．０１２ｍｍ（０．５ミル）〜約０．０５１ｍｍ（２．０ミル）の熱可塑性フィルムなどの薄いプラスチックフィルムを含む。
【００１２】
好適なバックシートフィルムとしては、インディアナ州テレホート（Terre Haute,IN）のトレドガーインダストリー社（Tredegar Industries Inc.）により製造され、Ｘ１５３０６、Ｘ１０９６２、及びＸ１０９６４の商品名で販売されるものが挙げられる。他の好適なバックシート材料としては、蒸気をおむつ２０から逃がすにもかかわらず、排泄物がバックシート２６を通過するのを防止する通気性材料を挙げることができる。代表的な通気性材料として、織布ウェブ、不織布ウェブ、フィルムコーティング不織布ウェブのような複合材料、ＥＳＰＯＩＲ  ＮＯの名称で日本の三井東圧株式会社により、またＥＸＸＡＩＲＥの名称でテキサス州ベイシティ（Bay City, TX）のエクソンケミカル社（Exxon Chemical Co.）により製造されるような微小多孔性フィルム、ＨＹＴＲＥＬブレンドＰ１８−３０９７の名称でオハイオ州シンシナティ（Cincinnati, OH）のクロペイ社（Clopay Corporation）により製造されるようなモノリシックフィルム、等の材料を含むことができる。いくつかの通気性複合材料が、１９９５年６月２２日にデュポン（E.I.DuPont）の名で公開された国際公開第９５／１６７４６号、１９９９年８月１７日にラボン（LaVon）らへ発行された米国特許第５，９３８，６４８号、１９９９年２月２日にキュロ（Curro）の名で発行された米国特許第５，８６５，８２３号、及び１９９６年１１月５日にドブリン（Dobrin）らへ発行された米国特許第５，５７１，０９６号においてより詳細に記載されている。これらの参考文献のそれぞれを参考として本明細書に組み入れる。
【００１３】
バックシート２６、またはそのどの一部も、１つ以上の方向に弾性的延伸性であることができる。一実施態様では、バックシート２６は、構造的に弾性様のフィルム（「ＳＥＬＦ」）ウェブを含むことができる。構造的に弾性様のフィルムウェブは、追加の弾性材料を使用せずに伸長方向に弾性様挙動を示す延伸性の材料であり、更に詳細には１９９６年５月２１日にチャッペル（Chappell）らへ発行された「弾性様挙動を示すウェブ材料（Web Materials Exhibiting Elastic-Like Behavior）」という名称の米国特許第５，５１８，８０１号に記載されており、この特許を参考として本明細書に組み入れる。他の実施態様では、バックシート２６は、弾性フィルム、発泡体、ストランド、または、これら若しくは他の適切な材料と不織布フィルム若しくは合成フィルムとの組み合わせを含むことができる。
【００１４】
バックシート２６は、当該技術分野で既知のいずれかの取付け手段により、トップシート２４、吸収性コア２８、またはおむつ２０の他の要素に結合することができる。（本明細書で使用する用語「結合する」は、１つの要素が、直接もう一方の要素へ付着することにより他の要素へ直接固定される形体、及び１つの要素が中間部材へ付着し、その中間部材が次いでもう一方の要素へ付着することにより他の要素に間接的に固定される形体を包含する。）例えば、取付け手段としては、均一連続層の接着剤、パターン層の接着剤、孤立した線の、渦巻きの、または点の配列の接着剤などを挙げることができる。好ましい取付けの一手段は、接着剤フィラメントの開放模様網を含み、１９８６年３月４日にミネトラ（Minetola）らへ発行された「使い捨て排泄物収容衣料（Disposable Waiste-Containment Garment）」という名称の米国特許第４，５７３，９８６号に開示されている。１９７５年１０月７日にスプレーグ（Sprague, Jr.）へ発行された米国特許第３，９１１，１７３号、１９７８年１１月２２日にジッカー（Ziecker）らへ発行された米国特許第４，７８５，９９６号、及び１９８９年６月２７日にウェレニック（Werenicz）へ発行された米国特許第４，８４２，６６６号に示される装置及び方法により例証されるように、他の好適な取付け手段は螺旋模様に渦巻く何本かの接着剤フィラメントを含有する。これらの特許のそれぞれを参考として本明細書に組み入れる。有用性が認められている接着剤は、ミネソタ州セントポール（St. Paul, Minnesota）のフラー社（H. B. Fuller Company）により製造され、ＨＬ−１６２０及びＨＬ−１３５８−ＸＺＰとして販売されている。あるいは、取付け手段には、熱接着、圧力接着、超音波接着、動的機械的結合、若しくは当該技術分野で既知の他のいずれかの適切な取付け手段、またはこれら取付け手段の組み合わせを含むことができる。
【００１５】
トップシート２４は、好ましくは吸収性コア２８の身体側表面４７に隣接して位置し、また当技術分野で既知のいずれかの取付け手段により吸収性コア２８及び／またはバックシート２６に結合してよい。好適な取付け手段は、バックシート２６をおむつ２０の他の要素へ結合する手段に関連して前述した。本発明の好ましい一実施態様では、トップシート２４及びバックシート２６は、幾つかの箇所で互いに直接接合し、また他の箇所において、おむつ２０の１つ以上の他の要素へこれらが直接接合することにより、相互に間接的に接合している。
【００１６】
トップシート２４は、順応性があり、柔らかな感触であり、着用者の皮膚を刺激しないことが好ましい。更に、トップシート２４の少なくとも一部分は液体透過性であり、流体がその厚さを容易に貫通可能である。好適なトップシートは、広範囲の材料により製造することができ、例えば、多孔性発泡体、網状発泡体、孔あきプラスチックフィルム、または天然繊維（例えば木材繊維若しくは木綿繊維）、合成繊維（例えばポリエステル繊維若しくはポリプロピレン繊維）、または天然繊維及び合成繊維の組み合わせによる織布材料または不織布材料、などがある。トップシート２４が繊維を含む場合、その繊維は、スパンボンド、カード、湿式、メルトブローン、水流交絡、その他には当該技術分野で既知の方法で加工することができる。１つの好適なトップシート２４は、ステープル長さのポリプロピレン繊維のウェブを含んでおり、マサチューセッツ州ウォルポール（Walpole,MA）のインターナショナルペーパー社（International Paper Company）の一部門であるベラテック社（Veratec,Inc.）によりＰ−８の名称で製造されている。
【００１７】
好適な成形フィルムトップシートが、１９７５年１２月３０日にトンプソン（Thompson）へ発行された「テーパ付き毛細管を有する吸収性構造（Absorptive Structures Having Tapered Capillaries）」という名称の米国特許特第３，９２９，１３５号、１９８２年４月１３日にムラン（Mullane）らへ発行された「染み防止性トップシートを有する使い捨て吸収性物品（Disposable Absorbent Article Having A Stain Resistant Topsheet）」という名称の米国特許第４，３２４，２４６号、１９８２年８月３日にラデル（Radel）らへ発行された「繊維様特性を示す弾力性プラスチックウエブ（Resilient Plastic Web Exhibiting Fiber-Like Properties）」という名称の米国特許第４，３４２，３１４号、１９８４年７月３１日にアール（Ahr）らへ発行された「艶消し外観表面と布様感触の印象を示す巨視的に伸張された三次元プラスチックウエブ（Macroscopically Expanded Three-Dimensional Plastic Web Exhibiting Non-Glossy Visible Surface and Cloth-Like Tactile Impression）」という名称の米国特許第４，４６３，０４５号、及び１９９１年４月９日にベアード（Baird）へ発行された「多層ポリマーフィルム（Multilayer Polymeric Film）」という名称の米国特許第５，００６，３９４号に記載されている。その他の好適なトップシート３０は、１９８６年９月２日及び１９８６年１２月１６日にキュロ（Curro）らにそれぞれ付与された米国特許第４，６０９，５１８号及び第４，６２９，６４３号に従って作成されてもよく、これら二つの特許は参考として本明細書に組み入れる。そのように成形されたフィルムは、オハイオ州シンシナティ（Cincinnati,Ohio）のプロクターアンドギャンブル社（The Procter & Gamble Company）から「ＤＲＩ−ＷＥＡＶＥ」として入手でき、インディアナ州テレホート（Terre Haute,Indiana）のトレドガー社（Tredegar Corporation）から「ＣＬＩＦＦ−Ｔ」として入手できる。
【００１８】
好ましくは、トップシート２４の少なくとも一部は、吸収性コア２８に収容された流体から着用者の皮膚を隔離するために、疎水性の材料によって作るか、疎水性になるように処理する。トップシート２４を疎水性材料により製造する場合、好ましくは、トップシート２４の上部表面の少なくとも一部は、親水性となるように処理することで、流体がトップシートの中をより速やかに移動できるようにする。トップシート２４は、界面活性剤で処理することにより、または界面活性剤をトップシートの中に配合することにより親水性にすることができる。界面活性剤でトップシート２４を処理する好適な方法には、トップシート２４の材料を界面活性剤で噴霧すること、及び／またはその材料を界面活性剤中に浸漬することが含まれる。そのような処理と親水性のより詳細な検討は、１９９１年１月２９日にレイシング（Reising）らへ発行された「多層吸収層を有する吸収性物品（Absorbent Articles with Multiple Layer Absorbent Layers）」という名称の米国特許第４，９８８，３４４号、及び１９９１年１月２９日にレイシングへ発行された「急速に吸収する吸収性コアを有する吸収性物品（Absorbent Articles with Rapid Acquiring Absorbent Cores）」という名称の米国特許第４，９８８，３４５号に含まれる。トップシート２４に界面活性剤を組み込む幾つかの適切な方法のより詳細な検討は、アジズ（Aziz）らの名で１９９７年７月１日に公開された米国法定発明登録番号Ｈ１６７０に見出すことができる。これらの参考文献のそれぞれを参考として本明細書に組み入れる。代替方法として、トップシート２４は、疎水性の孔あきウェブまたは孔あきフィルムを含むことができる。これは、生産工程から親水性化処理段階を無くすか、または後述するようにスコッチガード（ＳＣＯＴＣＨＧＵＡＲＤ）などのポリテトラフルオロエチレン化合物または疎水性ローション組成物などの疎水性処理剤をトップシート２４へ適用するか、またはその両方を行って達成することができる。かかる実施態様では、開口は十分大きく、尿のような水性流体が顕著な抵抗無しに通過できることが好ましい。
【００１９】
トップシート２４のどの部分でも、当該技術分野で既知のローションでコーティングしてもよい。好適なローションの例として、１９９７年３月４日にロー（Roe）へ発行された「皮膚軟化剤とポリオールポリエステル不動化剤を含有するローションで処理されたトップシートを有する使い捨て吸収性物品（Disposable Absorbent Article Having A Lotioned Topsheet Containing an Emollient and a Polyol Polyester Immobilizing Agent）」という名称の米国特許第５，６０７，７６０号、１９９７年３月１１日にロー（Roe）へ発行された「流体ポリオールポリエステル皮膚軟化剤と不動化剤を含むローショントップシートを有するおむつ（Diaper Having A Lotion Topsheet Comprising A Liquid Polyol Polyester Emollient And An Immobilizing Agent）」という名称の米国特許第５，６０９，５８７号、１９９７年６月３日にロー（Roe）らへ発行された「ポリシロキサン皮膚軟化剤を含有するローションで処理されたトップシートを有するおむつ（Diaper Having A Lotioned Topsheet Containing A Polysiloxane Emollient）」という名称の米国特許第５，６３５，１９１号、１９９７年７月１日にロー（Roe）らへ発行された「ローション処理されたトップシートを有するおむつ（Diaper Having A Lotioned Topsheet）」という名称の米国特許第５，６４３，５８８号、及び１９９９年１０月１９日にロー（Roe）らへ発行された「ローション処理されたトップシートを有する吸収性物品（Absorbent Article Having A Lotioned Topsheet）」という名称の米国特許５，９６８，０２５号に記載されるものが含まれる。ローションは、単独に、または上述の疎水性化処理などの他の薬剤と組み合わせて機能することができる。また、トップシート２４は抗菌剤を包含するかまたは抗菌剤で処理されてもよく、そのいくつかの例が、テレサ  ジョンソン（Theresa Johnson）の名で１９９５年９月１４日に公開された「においを制御するためにトップシートに抗菌剤を含有する吸収性物品（Absorbent Articles Containing Antibacterial Agents in the Topsheet For Odor Control）」という名称の国際公開第９５／２４１７３号に開示されている。更に、トップシート２４、バックシート２６、またはトップシート若しくはバックシートの部分は、布様外観を更にもたらすために、エンボス加工及び／または艶消仕上げ加工を行ってもよい。
【００２０】
トップシート２４は、一つ以上の開口８０を含み、尿及び／または便（固体、半固体、または流体）などの排出物の通過を容易にすることができる。少なくとも一次の開口８０の大きさは、所望の排泄物封入性能を達成する上で重要である。一次の開口８０が小さ過ぎる場合、排泄源と開口の位置の配列が悪いか、または糞便の直径が開口８０よりも大きいためか、排泄物が開口を通らないこともある。開口８０が大き過ぎる場合、この物品からの「再湿潤」によって汚される可能性のある皮膚領域が拡大する。典型的には、開口８０の面積は、約１０ｃｍ２〜約５０ｃｍ２であるべきである。開口８０の面積は、典型的には、約１５ｃｍ２〜３５ｃｍ２であるのが好ましい。
【００２１】
更に、トップシート２４は、全体的にあるいは部分的に伸縮性となるか、または短縮して、トップシート２４とコア２８との間に空隙空間を形成することができる。伸縮性または短縮するトップシートを含む代表的な構造は、１９９０年１月９日にデマレーズ（Des Marais）らへ発行された「弾性ストランドを有する吸収性物品（Absorbent Article Having Elastic Strands）」という名称の米国特許第４，８９２，５３６号、１９９１年２月５日にフリーランド（Freeland）へ発行された「排出物隔離のための弾性ライナーを備える吸収性物品（Absorbent Article With Elastic Liner For Waste Material Isolation）」という名称の米国特許第４，９９０，１４７号、１９９１年８月６日にアレン（Allen）らへ発行された「弾性的延伸性のトップシートを備える使い捨て吸収性物品（Disposable Absorbent Article Having Elastically Extensible Topsheet）」という名称の米国特許第５，０３７，４１６号、及び１９９３年１２月１４日にフリーランド（Freeland）らへ発行された「使い捨て吸収性物品用の三分割トップシート及びその三分割トップシートを有する使い捨て吸収性物品（Trisection Topsheets For Disposable Absorbent Articles and Disposable Absorbent Articles Having Such Trisection Topsheets）」という名称の米国特許第５，２６９，７７５号にさらに詳細に記載され、これら特許のそれぞれを参考として本明細書に組み入れる。
【００２２】
吸収性コア２８は、ほぼ圧縮性であり、体型に合いやすく、着用者の皮膚に対して非刺激性であり、また尿及び他のある種の身体排泄物などの流体を吸収して保持できるものであれば、どの吸収性材料でも含むことができる。吸収性コア２８は、多種多様な大きさと形状（例えば長方形、砂時計形状、「Ｔ」形状、非対称形状など）に製造することができ、並びに、使い捨ておむつ、及び、エアフェルトと一般に呼ばれる微粉砕木材パルプなど他の吸収性物品に通常使用される多種多様の流体吸収性材料を含むことができる。他の好適な吸収性材料の例としては、縮みセルロース詰め物、コフォームを含むメルトブローポリマー、化学的に剛化、変性、または架橋されたセルロースファイバー、ティッシュラップおよびティッシュラミネートを含むティッシュ、吸収性フォーム、吸収性スポンジ、超吸収性ポリマー、吸収性ゲル材料、または他の任意の既知の吸収性材料、あるいはこれらの材料の組み合わせが挙げられる。
【００２３】
吸収性コア２８の構成と構造も、様々に変化してよい（例えば、吸収性コアまたは他の吸収性構造物は、変化する厚さのゾーン、親水性勾配、超吸収性勾配、または低平均密度と低平均坪量の獲得区域を有してもよく、または１つ以上の層あるいは構造を含んでもよい）。吸収性コア２８として使用する代表的な吸収性構造物が、１９８６年９月９日にワイスマン（Weisman）らへ発行された「高密度吸収性構造物（High-Density Absorbent Structures）」という名称の米国特許第４，６１０，６７８号、１９８７年６月１６日にワイスマン（Weisman）らへ発行された「二重層コアを有する吸収性物品（Absorbent Articles With Dual-Layered Cores）」という名称の米国特許第４，６７３，４０２号、１９８９年５月３０日にアレマニー（Alemany）らへ発行された「低密度と低坪量の獲得区域を有する高密度吸収性部材（High Density Absorbent Members Having Lower Density and Lower Basis Weight Acquisition Zones）」という名称の米国特許第４，８３４，７３５号、１９８９年１２月１９日にアングスタト（Angstadt）へ発行された「ダスティング層を有する吸収性コア（Absorbent Core Having A Dusting Layer）」という名称の米国特許第４，８８８，２３１号、１９９２年８月１１日にヘロン（Herron）らへ発行された「個別化されたポリカルボン酸架橋木材パルプセルロース繊維を含有する吸収構造（Absorbent Structure Containing Individualized,Polycarboxylic Acid Crosslinked Wood Pulp Cellulose Fibers）」という名称の米国特許第５，１３７，５３７号、１９９２年９月１５日にヤング（Young）らへ発行された「失禁管理用の高効率吸収性物品（High Efficiency Absorbent Articles For Incontinence Management）」という名称の米国特許第５，１４７，３４５号、１９９４年８月３０日にロー（Roe）へ発行された「低粘性糞便物質用の使い捨て吸収性物品（Disposable Absorbent Article For Low-Viscosity Fecal Material）」という名称の米国特許第５，３４２，３３８号、１９９３年１１月９日にデマレーズ（DesMarais）らへ発行された「水性身体排泄物用の吸収性発泡材料とかかる材料を含有する吸収性物品（Absorbent Foam Materials For Aqueous Body Fluids and Absorbent Articles Containing Such Materials）」という名称の米国特許第５，２６０，３４５号、１９９５年２月７日にディエル（Dyer）らへ発行された「水性身体流体用の濡れるまでは薄い吸収性発泡材料とその製造方法（Thin-Until-Wet Absorbent Foam Materials For Aqueous Body Fluids And Process For Making Same）」という名称の米国特許第５，３８７，２０７号、及び１９９７年７月２２日にデマレーズ（DesMarais）らへ発行された「非常に高い水対油比を有する高内相エマルジョンから製造された水性流体用の吸収性発泡材料（Absorbent Foam Materials For Aqueous Fluids Made From high Internal Phase Emulsions Having Very High Water-To-Oil Ratios）」という名称の米国特許第５，６２５，２２２号に記載されている。これら特許のそれぞれを参考として本明細書に組み入れる。
【００２４】
おむつ２０はまた、トップシート２４とバックシート２６との間に配置された副層も含むことができる。（本明細書で使用する用語「配置される」は、おむつの要素が、おむつの他の要素と共に一体の構造物として、またはおむつの他の要素へ結合される別個の要素として、特定の場所または位置に形成される（位置決めし結合される）ことを意味するのに使用する。）副層は、身体排泄物を受入れて、貯蔵し、不動化する性能がある任意の材料または構造とすることができる。したがって、副層は、単一の材料、または互いに作用可能に関連づけられた多くの材料を含むことができる。更に、副層は、おむつ２０の他の要素と一体になっていてもよく、またはおむつ２０の１つ以上の要素と直接的または間接的に接合された１つ以上の個別の要素でもあってもよい。更に、副層は、コア２８から分離された構造を含んでもよく、あるいは、コア２８の少なくとも一部を含むかまたはその一部であってもよい。
【００２５】
副層として使用する好適な材料として、大型開口気泡発泡体、マクロ孔質耐圧縮性不織布嵩高品、開口及び閉塞気泡発泡材の大形粒状成形物（マクロ及び／またはミクロ孔質）、嵩高不織布、ポリオレフィン、ポリスチレン、ポリウレタン発泡体若しくは粒状物、多数の垂直配向のループ状繊維ストランドを有する構造物、打ち抜き穴若しくは窪みを有する上述の吸収性コア構造物、などを挙げることができる。（本明細書で使用する用語「ミクロ孔質」は、毛管作用により流体移送ができる材料を指す。用語「マクロ孔質」は、孔が大きいので流体の毛管移送ができない材料を指し、一般に直径が約０．５ｍｍよりも大きい孔を有し、更に具体的には直径が約１．０ｍｍよりも大きい孔を有する。）副層の一実施態様は、機械的に固定するループランディング要素を含み、非圧縮厚み約１．５ｍｍを有し、ミネソタ州ミネアポリス（Minneapolis,Minnesota）の３Ｍ社（3M Corporation）からＸＰＬ−７１２４として入手可能である。他の実施態様は、６デニールの織縮して樹脂接着した嵩高不織布を含み、坪量が平方メートル当たり１１０グラムと非圧縮厚み７．９ｍｍを有し、ジョージア州レン（Wrens,Georgia）のグリット社（Glit Company）から入手可能である。その他の好適な吸収性及び非吸収性副層が、１９９８年６月１７日にロー（Roe）の名で公開された「低粘性糞便を貯蔵するための容量を有する使い捨て吸収性物品（Disposable Absorbent Article Having Capacity to Store Low-Viscosity Fecal Material）」という名称の欧州特許出願番号ＥＰ０８４７７３８Ａ１と、１９９年８月２４日にロー（Roe）へ発行された「糞便貯蔵を改良した使い捨て吸収性物品（Disposable Absorbent Article Having Improved Fecal Storage）」という名称の米国特許第５，９４１，８６４号とに記載され、その両方を本願に参考として組み入れている。更に、副層、またはそのどの部分も、ローションあるいは他の既知の物質を含むかまたはそれらでコーティングされて、その要素の性能または他の特性を付加、強化、または変更することができる。
【００２６】
おむつ２０は、フィットと収容性の改良をもたらす補助となる少なくとも１つの弾性腰部機構３４を含んでよい。弾性腰部機構３４は、一般に弾性的に伸長及び収縮して、着用者の腰部に動的にフィットするよう企図されている。弾性腰部機構３４は、好ましくは、吸収性コア２８の少なくとも１つの腰部縁部６２から少なくとも長手方向外側に延び、またおむつ２０の端部縁部５２の少なくとも一部分を一般に形成する。使い捨ておむつは、２つの弾性腰部機構を有するように構成されることが多く、１つを第一腰部領域３６に配置し、１つを第二腰部領域３８に配置する。更に、弾性腰部機構３４、またはその構成要素のいかなるものも、おむつ２０へ固着した１つ以上の別の要素を含んでもよいが、弾性腰部機構３４は、バックシート２６若しくはトップシート２４、またはその両方などの、おむつ２０の他の要素の延長部として構成されてもよい。
【００２７】
弾性腰部機構３４は、多くの様々な形体に構成でき、それらの形状には、１９８５年５月７日にキービト（Kievit）らへ発行された米国特許第４，５１５，５９５号、１９８７年１２月１日にラッシュ（Lash）へ発行された米国特許第４，７１０，１８９号、１９９２年９月９日にブエル（Buell）へ発行された米国特許第５，１５１，０９２号、及び１９９３年６月２２日にブエル（Buell）へ発行された米国特許第５，２２１，２７４号、に記載されるものが挙げられる。他の好適な腰部形体はウエストキャップ機構を含むことができ、例えば、１９９１年６月２５日にロバートソン（Robertson）へ発行された米国特許第５，０２６，３６４号、及び１９８９年３月２８日にフォアマン（Foreman）へ発行された米国特許第４，８１６，０２５号に記載されるものなどがある。上述文献のすべてを本願に参考として組み入れている。
【００２８】
おむつ２０は、締結装置４０を備えても良い。締着装置４０は、おむつ２０を着用者に固定するために、おむつ２０の周囲付近で横方向の伸張を与えるような配置に、第一腰部領域３６及び第二腰部領域３８を保つことが好ましい。締着装置４０は、テープ状ひも、フック及びループ締着構成要素、及び／または相互に噛み合う締着構成要素などの表面締結具を有することが好ましいが、その他のいずれか既知の締着手段も一般的に使用することができる。代表的な表面締着装置は、１９７４年１１月１９日にブエル（Buell）に発行された「使い捨ておむつ用テープ締結装置（Tape Fastening System for Disposable Diaper）」という名称の米国特許第３，８４８，５９４号、１９８７年５月５日にヒロツ（Hirotsu）らに発行された「吸収性物品（Absorbent Article）」という名称の米国特許Ｂ１  ４，６６２，８７５号、１９８９年７月１１日にスクリップス（Scripps）に発行された「改良された締結装置を有する使い捨ておむつ（Disposable Diaper Having An Improved Fastening Device）」という名称の米国特許第４，８４６，８１５号、１９９０年１月１６日にネスタガード（Nestegard）に発行された「改良されたフック締結部分を有する使い捨ておむつ（Disposable Diaper With Improved Hook Fastener Portion）」という名称の米国特許第４，８９４，０６０号、１９９０年８月７日にバットレル（Battrell）に発行された「感圧性接着剤付きファスナー及びその製法（Pressure-Sensitive Adhesive Fastener And Method of Making Same）」という名称の米国特許第４，９４６，５２７号、１９９２年９月９日にブエル（Buell）に発行され、すでに参照した米国特許第５，１５１，０９２号、及び１９９３年６月２２日にブエル（Buell）に発行された米国特許第５，２２１，２７４号に開示されている。代表的な噛み合い締結装置が、１９９８年８月８日にクライン（Kline）らの名で「吸収性物品の締結装置（Absorbent Article Fastening Device）」という名称で出願された同時継続の米国特許出願第０９／１４３，１８４号に開示されている。締結装置４０は、その物品を処分する構成に保持する手段を提供することもでき、１９９０年１０月１６日にロバートソン（Robertson）らへ発行された米国特許第４，９６３，１４０号に開示されている。締結装置はまた、１９８７年１０月１３日にトゥサント（Toussant）らへ発行された「側部閉鎖が改良された使い捨ておむつ（Disposable Diaper Having An Improved Side Closure）」という名称の米国特許第４，６９９，６２２号に開示されるように、第一及び第二締結装置を包含してもよく、それにより、１９９３年９月７日にウェイル（Weil）らへ発行された「動的な伸縮性ウエストバンドのフィット感をもたらす締結装置を備える吸収性物品（Absorbent Article With Fastening System Providing Dynamic Elasticized Waistband Fit）」という名称の米国特許第５，２４２，４３６号、１９９６年３月１９日にブエル（Buell）らへ発行された「予め配置された弾力性可撓ヒンジを有する動的な弾性腰部機構を備える吸収性物品（Absorbent Article With Dynamic Elastic Waist Feature Having A Predisposed Resilient Flexural Hinge）」という名称の米国特許第５，４９９，９７８号、１９９６年４月１６日にクリア（Clear）らへ発行された「拡張性腹部パネルを含む動的な弾性腰部機構を備える吸収性物品（Absorbent Article With Dynamic Elastic Waist Feature Comprising An Expansive Tummy Panel）」という名称の米国特許第５，５０７，７３６号、及び１９９７年１月７日にブエル（Buell）らへ発行された「予め配置された弾力性可撓ヒンジを有する動的な弾性腰部機構を備える吸収性物品（Absorbent Article With Dynamic Elastic Waist Feature Having A Predisposed Resilient Flexural Hinge）」という名称の米国特許第５，５９１，１５２号に開示されるように重複部分のずれが減少するか、またはフィット感が向上する。これらの特許のそれぞれ及び同時係属出願が参照により本願に組み込まれる。別の実施態様では、物品の向かい合う面同士を縫い合わせるか接合して、パンツ状にすることができる。これにより、物品をトレーニングパンツのようなプルオン型おむつとして使用できる。
【００２９】
おむつ２０は、サイドパネル３０も含んでもよい。サイドパネル３０は弾性または延伸性であってもよく、着用者におむつ２０を先ずぴったりとフィットさせることにより快適で体形に合ったフィット感が提供され、そして弾性を持たせたサイドパネル３０によりおむつ２０の側部が伸張及び収縮するのでおむつ２０が排泄物の負荷を受けたかなり後の着用期間中もフィット性が維持される。使用中に、おむつ着用者が一方のサイドパネル３０を他方のサイドパネル３０よりも更に引っ張る場合でも、着用中、おむつ２０が「自己調整」するので、サイドパネル３０によっておむつ２０の更なる有効利用が提供される。
【００３０】
本発明のおむつ２０は好ましくは、第二の腰部領域３８に配置されるサイドパネル３０を有するが、おむつ２０は、第一腰部領域３６または第一腰部領域３６と第二腰部領域３８の両方に配置されるサイドパネル３０を備えても良い。サイドパネル３０は、好適ないかなる形状に構成することもできる。伸縮自在のサイドパネルを有するおむつの例は、１９８９年８月１５日にウッド（Wood）らへ発行された「シャーリングを付けた耳パネルを有する使い捨ておむつ（Disposable Diaper Having Shirred Ears）」という名称の米国特許第４，８５７，０６７号、１９８３年５月３日にシアラファ（Sciaraffa）らへ発行された米国特許第４，３８１，７８１号、１９９０年７月３日にバンゴンペル（Van Gompel）らへ発行された米国特許第４，９３８，７５３号、本明細書前段で引用した１９９２年９月９日にブエル（Buell）へ発行された米国特許第５，１５１，０９２号、１９９３年６月２２日にブエル（Buell）へ発行された米国特許第５，２２１，２７４号、１９９７年９月２３日にラボン（LaVon）らへ発行された「動的な合わせ具合を維持する吸収性物品（Absorbent Articles Providing Sustained Dynamic Fit）」という名称の米国特許第５，６６９，８９７号、及び１９９９年１２月２１日にローブル（Robles）らへ発行された「多方向延伸性のサイドパネルを有する吸収性物品（Absorbent Article With Multi-Directional Extensible Side Panels）」という名称の米国特許第６，００４，３０６号に記載され、それぞれの特許を参考として本明細書に取り入れる。
【００３１】
おむつ２０は好ましくは、流体及び他の身体排泄物の封じ込め性を改良する脚部カフ３２を更に含む。脚部カフ３２は、レッグバンド、サイドフラップ、バリアカフ、または弾性カフとも呼ばれることもある。米国特許第３，８６０，００３号には、伸縮自在のレッグカフ（ガスケットカフ）を具備するために１つ以上の弾性部材とサイドフラップを有する収縮可能な脚部開口を提供する使い捨ておむつが記載されている。１９８９年２月２８日及び１９９０年３月２０日にアジズ（Aziz）らにそれぞれ発行された米国特許第４，８０８，１７８号及び第４，９０９，８０３号には、脚部領域の封じ込め性を改良する「立ち上がった」伸縮自在のフラップ（バリアカフ）を有する使い捨ておむつが記載されている。１９８７年９月２２日にローソン（Lawson）に発行された米国特許第４，６９５，２７８号、及び１９８９年１月３日にドラグー（Dragoo）に発行された米国特許第４，７９５，４５４号には、ガスケットカフとバリアカフを含む二重カフを有する使い捨ておむつが記載されている。幾つかの実施態様では、上述のように、脚部カフ３２の全てまたは一部分をローションで処理するのが望ましいことがある。
【００３２】
本発明の実施態様にはまた、排泄物を受けて収容するポケット、排泄物用の空洞を形成するスペーサ、物品内での排泄物の移動を制限するバリヤ、おむつ２０内に置かれた排泄物を受けて収容する区画若しくは空洞など、あるいはそれらのどの組み合わせも含まれ得る。吸収性製品に使用するポケットとスペーサの例は、１９９６年５月７日にロー（Roe）らへ発行された「排除スペーサを備えるおむつ（Diaper Having Expulsive Spacer）」という名称の米国特許第５，５１４，１２１号、１９９２年１２月１５日にドレイル（Dreier）らへ発行された「コアスペーサを備える使い捨て吸収性物品（Disposable Absorbent Article Having Core Spacers）」という名称の米国特許第５，１７１，２３６号、１９９５年３月１４日にドレイル（Dreier）へ発行された「ポケットカフを備えた吸収性物品（Absorbent Article Having A Pocket Cuff）」という名称の米国特許第５，３９７，３１８号、１９９６年７月３０日にドレイル（Dreier）へ発行された「頂点を有するポケットカフを備えた吸収性物品（Absorbent Article Having A Pocket Cuff With An Apex）」という名称の米国特許第５，５４０，６７１号、１９９３年１２月３日に公開された「吸収性衛生物品に使用されるスペーサ及びかかるスペーサを備える使い捨て吸収性物品（Spacers For Use In Hygienic Absorbent Articles And Disposable Absorbent Articles Having Such Spacer）」という名称の国際公開第９３／２５１７２号、１９９４年４月２６日にフリーランド（Freeland）へ発行された「使い捨て吸収性物品に使用される可撓性スペーサ（Flexible Spacers For Use In Disposable Absorbent Articles）」という名称の米国特許第５，３０６，２６６号、及び１９９９年１２月７日にアール（Ahr）らに発行された「選択的に拡大可能または膨張可能な構成要素を有する使い捨て吸収性物品（Disposable Absorbent Article With Selectively Expandable or Inflatable Component）」という名称の米国特許第５，９９７，５２０号に記載されている。区画または空洞の例が、１９９０年１１月６日にカーン（Khan）に発行された「糞便用区画を有する使い捨ておむつ（Disposable Fecal Compartmenting Diaper）」という名称の米国特許第４，９６８，３１２号、１９９１年２月５日にフリーランド（Freeland）に発行された「排泄物質を分離するための弾性ライナーを備える吸収性物品（Absorbent Article With Elastic Liner For Waste Material Isolation）」という名称の米国特許第４，９９０，１４７号、１９９１年１１月５日にホルト（Holt）らへ発行された「使い捨ておむつ（Disposable Diapers）」という名称の米国特許第５，０６２，８４０号、及び１９９３年１２月１４日にフリーランド（Freeland）らへ発行された「使い捨て吸収性物品用の三分割トップシート及びその三分割トップシートを有する使い捨て吸収性物品（Trisection Topsheets For Disposable Absorbent Articles And Disposable Absorbent Articles Having Such Trisection Topsheets）」という名称の米国特許第５，２６９，７５５号に開示されている。好適な横断方向バリヤの例は、１９９６年９月１０日にドレイル（Dreier）らの名で発行された「複数の有効高さの横断方向仕切りを有する吸収性物品（Absorbent Article Having Multiple Effective Height Transverse Partition）」という名称の米国特許第５，５５４，１４２号、１９９４年７月７日にフリーランド（Freeland）らの名で公開された「立ち上がった横断方向仕切りを有する吸収性物品（Absorbent Article Having An Upstanding Transverse Partition）」という名称の国際公開第９４／１４３９５号、及び１９９７年８月５日にロー（Roe）らへ発行された斜めに立ち上がった横断方向仕切りを有する吸収性物品（Absorbent Article Having Angular Upstanding Transverse Partition）という名称の米国特許第５，６５３，７０３号に記載されている。低粘性糞便の管理に特に好適な他の構造の例が、１９９９年８月２４日にロー（Roe）らへ発行された米国特許第５，９４１，８６４号、１９９９年１１月２日にロー（Roe）らへ発行された米国特許第５，９７７，４３０号、及び２０００年１月１１日にロー（Roe）らへ発行された米国特許第６，０１３，０６３号に開示されている。上記引用した文献のすべてを本願に参考として組み入れる。
【００３３】
本発明の吸収性物品はまた、少なくとも１つの照光物質を含んでもよい。例えば、照光物質は、暗所で光るか、または反射性である蛍光物質、燐光物質または反射物質であってもよい。照光物質は吸収性物品上に配置されるか、または吸収性物品で使用する任意の材料に組み入れられてもよい。
【００３４】
照光物質の可能な適用としては、介護人が着用者を位置づけるかまたは着用者を確認するのを助けることが挙げられる。照光物質はまた、介護人が着用者に物品を締結するのを支援することができる。例えば、照光物質は、締結具を留めたり外したり、装着中、物品を着用者に位置合わせするのを助力することができる。１つの実施態様において、吸収性物品は、１つ以上の照光物質を含有する第一腰部領域３６または第二腰部領域３８を含んでもよい。脚部カフ３２を包含する実施態様の場合、この脚部カフ３２は１つ以上の照光物質を包含してもよい。更に、締結装置４０の任意の部分はまた、１つ以上の照光物質も包含してもよい。１つの実施態様において、１つ以上の締結タブ、着床領域７０、またはその両方が、１つ以上の照光物質を含んでもよい。
【００３５】
照光物質は、明かりの少ない環境で光るか、または反射性である任意の好適な材料を含んでもよい。明かりの少ない環境とは、典型的な周囲を可視できる光がより少ない状態から実質的に暗い環境まで様々である。照光物質の例としては、燐光物質、長残光性燐光物質、反射物質、発光体物質または蛍光物質が挙げられる。照光物質は例えば、緑色光を発しうる多結晶性無機硫化亜鉛、または赤色若しくは青色光を発しうるアルカリ土類硫化物であってもよい。１つの実施態様において、照光物質は更に、ニュージャージー州（New Jersey）のコバーン社（Coburn Corp.）から市販されるＳａｆｅ−Ｇｌｏ（登録商標）、プレミアムＳｐａｒｋｌｅ−Ｇｌｏ（登録商標）フィルム、または光化学化合物群のいずれかであってもよい。アリゾナ州（Arizona）のグローバルトレードアライアンス社（Global Trade Alliance, Inc.）もまた、異なる色を結果として生じ、長残光性燐光体であると考えられる一連の燐光物質を提供している。市販の例としては、ＰＬＯ−７、ＰＬＯ−６、ＰＬＯ−４、ＰＬＢ−７、ＰＬＢ−６、ＳＢＧ−８、ＳＢ−８、ＲＲ−７、ＲＯ−７、ＰＬＲ−４、ＰＬＹ−４、ＰＬＧ−４、ＰＬＢ−４が挙げられる。ＬＵＭＩ長残光性光輝顔料は、やはり使用できる新規なタイプの長残光性蛍光体の一例である。照光物質もまた、アリゾナ州（Arizona）のグローバルトレードアライアンス社（Global Trade Alliance, Inc.）から市販されている。好適な照光物質の他の供給者としては、クリスタルプリント社（Crystal Print Inc.）が挙げられる。
【００３６】
吸収性物品もまた、対照的な照光特性を有する２つ以上の照光物質を含んでよい。上述の物質のいずれか、例えば燐光体及び蛍光体を組み合わせることによりコントラストを成してもよい。あるいは、２つの異なる照光物質を使用するか、２つ以上の輝度の異なる同一の照光物質を使用するか、異なる色の照光物質を使用するか、または照光物質の適用を変えるか、によってコントラストを成してもよい。
【００３７】
照光物質は、吸収性物品のいずれの表面に包含されてもよい。例えば、照光物質は、バックシートの外側表面２６１、バックシートの外側表面２６１に付着する第二シート材の最外表面７０１、追加の第二シート材７０の最内表面７０２、またはその他のあらゆる所望の場所にコーティングされてもよい。あるいは、照光物質は、物品の一部を構成する任意の材料中に含有されてもよい。例えば、照光物質は、バックシート２６またはバックシートの外側表面２６１に付着する外側第二シート材７０、例えば締結具着床領域として使用する外側第二シート材７０として使用する透明、半透明、または不透明な材料に含有されてもよい。別の例において、照光物質は、任意の第二シート材の内側表面７０２とバックシートの外側表面２６１との間に位置してもよい。
【００３８】
好適なバックシート２６は、吸収性コア２８に面するバックシートの内側表面２６２と、吸収性物品の外面の全てまたは一部を形成するバックシートの外側表面２６１とを含んでもよい。バックシートの外側表面２６１は更に、少なくとも１つの照光物質を含んでもよい。バックシートはまた、バックシートの外側表面２６１上に第二シート材７０を含んでもよく、これは締結着床領域として機能することができる。着床領域７０は、物品から離れて面する最外表面７０１と、バックシートの外側表面２６１に面する最内表面７０２とを有してもよい。一例を図３に示す。
【００３９】
バックシート２６または第二シート材７０は更に、照光物質により形成される表示７７を含んでもよい。この表示は、明るさの少ない環境で照光物質によって光る場合に最も見やすくなるが、通常の明るさの条件下でも見ることができる。１つの代替実施態様において、吸収性物品２０の表示要素は、視覚的には互いに関連しているので、通常の周囲照明下で見る表示は、暗所で見るものとは異なる。例えば、昼間は動物の目が開いているように見え、夜には閉じているように見えてもよい。あるいは、例えば紫外線などの他の光源も、見える表示を変化させたり強化したりするという効果を有する。
【００４０】
吸収性物品はまた、照光物質で処理されるバックシートの外側表面２６１上に外側第二シート材７０を含有してもよい。照光物質は、第二シート材の外側表面７０１、第二シート材７０の一構成要素、又はバックシートの外側表面２６１に面する第二シート材の内側表面７０２上にあってもよい。いかなる代替実施態様も、被覆材の透明又は半透明構成要素を更に包含することができる。照光効果は、燐光性又は蛍光性であってもよい。１つの実施態様において、バックシートは、付着する第二シート材７０を有さない。別の実施態様は、バックシート２６に取付ける吸収性物品の着床領域と一体化する第二シート材７０を包含する。更に別の実施態様では、吸収性物品の締結タブが照光特性を包含するので、明るさの少ない環境で物品を容易に交換することができる。
【００４１】
本発明の特定の実施形態及び／または本発明の個別の機構を図示し記述しているが、本発明の趣旨と範囲から逸脱することなく様々なその他の変化及び変更が可能であることは、当業者には明白であろう。さらに、このような実施形態及び機構の全ての組み合わせが可能であり、これにより本発明を好ましく実施できることは明らかである。従って、付随する請求項は、本発明の範囲内にある全てのこのような変化及び変更を包括するように企図したものである。
【００４２】
次に本発明を十分に説明し、請求する。添付の図面及び次の開示は、本発明を詳細に説明するものである。かかる図面及び開示は、本発明を実施することができる様々な方法のうちの１つのみを例証するものである。記載し請求する本発明のこれらの特徴及び他の機構、態様及び利点は添付の図面により、よりよく理解されるであろう。
【図面の簡単な説明】
【００４３】
【図１】可能な下層構造、着用者側に向いた物品の身体に面する表面を明確に示すためにその一部が切り取られた本発明の吸収性物品の平面図である。
【図２】着床領域を有する吸収性物品の外側表面を示す図である。
【図３】吸収性物品のバックシート及び任意に追加される第二シート材の境界面及び構造を示す図である。
【図１】
2011251133.tif 000003
【図２】
2011251133.tif 000004
【図３】
2011251133.tif 000005
【手続補正書】
【提出日】平成23年8月10日(2011.8.10)
【手続補正１】
【補正対象書類名】特許請求の範囲
【補正対象項目名】全文
【補正方法】変更
【補正の内容】
【特許請求の範囲】
【請求項１】
着用者への使い捨ておむつの着脱を支援するための、使い捨ておむつの使用方法であって、前記おむつは、トップシートと、外側表面を有するバックシートと、該トップシートと該バックシートの間に介在する吸収性コアと、該おむつの少なくとも一部に配置される少なくとも一つの照光物質と、を含み、前記バックシートは、前記照光物質から成る表示を包含し、前記照光物質は、反射性である、使い捨ておむつの使用方法。
【請求項２】
締結装置を更に含み、該締結装置が少なくとも一つの反射性の照光物質を含む、請求項１に記載の使い捨ておむつの使用方法。
【外国語明細書】
2011251133000001.pdf